(57)【要約】      （修正有）【課題】熱劣化しにくく、簡素な構成で広配光にかつ安価に形成可能な発光装置およびこの発光装置を具備する照明器具を提供する。【解決手段】発光装置１は、基板８および基板８の一面８ａ側に実装された発光素子９を有する発光体２と、一端側４ａに給電部２６および他端側４ｂに基板取付部が設けられ、基板取付部に発光体２の他面側が取り付けられた筐体４と、発光体２を覆うように筐体４の他端側４ｂに取り付けられる透光性のカバー本体部３５およびカバー本体部３５の頂部３７から基板８側に延出されてその先端側３６ａが基板８の一面８ａ側に接触しないようにカバー本体部３５の内側に設けられた柱状または錘状の突出部３６を有し、発光体２の放射光の一部を突出部３６の端面３８から入射して導光し突出部３６の外周面３６ｃおよびカバー本体部３５の頂部３７から出射するカバー体６と、を具備している。【選択図】図１
2016066427.tif 000002
【特許請求の範囲】
【請求項１】
基板およびこの基板の一面側に実装された発光素子を有する発光体と；  一端側に給電部および他端側に基板取付部が設けられ、この基板取付部に前記発光体の他面側が取り付けられた筐体と；  前記発光体を覆うように前記筐体の他端側に取り付けられる透光性のカバー本体部およびこのカバー本体部の頂部から前記基板側に延出されてその先端側が前記基板の一面側に接触しないように前記カバー本体部の内側に設けられた柱状または錐状の突出部を有し、前記発光体の放射光の一部を前記突出部の端面から入射して導光し前記突出部の外周面および前記カバー本体部の頂部から出射するカバー体と；を具備していることを特徴とする発光装置。
【請求項２】
前記発光体は、前記基板の中心部に前記突出部の端面に正対するように前記発光素子が設けられているとともに、前記中心部の周りに前記基板の周方向に沿って前記発光素子が実装されていることを特徴とする請求項１記載の発光装置。
【請求項３】
前記突出部は、延出方向の中間の外周面側に外周面の周回に亘って突起部が設けられていることを特徴とする請求項１または２記載の発光装置。
【請求項４】
前記筐体の給電部が口金であり、前記筐体内に前記発光素子を点灯する点灯装置が収納されている請求項１ないし３いずれか一記載の発光装置と；  この発光装置の前記給電部が接続されるソケットを有する器具本体と；を具備していることを特徴とする照明器具。
【発明の詳細な説明】
【技術分野】
【０００１】
本発明の実施形態は、発光素子を光源とする発光装置およびこの発光装置を配設する照明器具に関する。
【背景技術】
【０００２】
例えば、ＬＥＤ（発光ダイオード）を光源とするＬＥＤ電球（発光装置）は、基板にＬＥＤが実装された発光体（ＬＥＤモジュール）、一端側に口金を配設し他端側に発光体を取り付けている筐体、筐体内に収納した点灯装置および発光体を覆って筐体の他端側に取り付けられたカバー体（グローブ）を有して形成されている。  
【０００３】
そして、ＬＥＤ電球には、指向性を有するＬＥＤに対して広配光を得るために、発光体に反射体やレンズを具備してＬＥＤの光を制御しているものがある（例えば特許文献１参照。）。また、基板に実装されたＬＥＤの上に導光体を設置し、ＬＥＤの光を導光体に導入し、透過、反射させることにより拡散させて広配光にしているものがある（例えば特許文献２参照。）。
【先行技術文献】
【特許文献】
【０００４】
【特許文献１】特開２０１３−２０８１３号公報（第６頁、第１図）
【特許文献１】特開２０１２−２３４７８３号公報（第３頁、第２図）
【発明の概要】
【発明が解決しようとする課題】
【０００５】
発光体に反射体、レンズや導光体などの光制御手段を設けると、部品点数が多くなるとともに発光体側での構造が複雑となって、ＬＥＤ電球をコストアップさせるという欠点を有する。また、光制御手段は、発光体や筐体に接触していると、熱伝達により発熱して熱劣化を起こし、変色による光の出射効率の低下や割れ損傷など不具合が発生するおそれがある。  
【０００６】
本実施形態は、熱劣化しにくく、簡素な構成で広配光にかつ安価に形成可能な発光装置およびこの発光装置を具備する照明器具を提供することを目的とする。
【課題を解決するための手段】
【０００７】
本実施形態の発光装置は、発光体、筐体およびカバー体を有して構成される。発光体は、基板および発光素子を有してなる。発光素子は、基板の一面側に実装される。筐体は、一端側に給電部が設けられ、他端側に基板取付部が設けられる。発光体は、その他面側が基板取付部に取り付けられる。  
【０００８】
カバー体は、透光性のカバー本体部および突出部を有してなる。カバー本体部は、発光体を覆うように筐体の他端側に取り付けられる。突出部は、カバー本体部の頂部から発光体の基板側に延出されて、その先端側が基板の一面側に接触しないようにカバー本体部の内側に設けられた柱状または錐状に形成される。そして、カバー体は、発光体の放射光の一部を突出部の端面から入射して導光し突出部の外周面およびカバー本体部の頂部から出射する。
【発明の効果】
【０００９】
本実施形態の発光装置によれば、突出部は、その先端側が基板の一面側に接触しないように設けられるので、発光体からの熱が直接熱伝導されないことにより温度上昇が抑制されて熱劣化が防止され、また、発光素子の放射光の一部は、カバー体の突出部の端面から入射して突出部を導光し突出部の外周面およびカバー本体部の頂部から出射するので、カバー本体部の頂部から出射する放射光によりカバー本体部の頂部側に暗部が生じにくくなり、突出部の外周面から出射される放射光によりカバー本体部から筐体側に放射光が出射されて広配光となることが期待できる。
【図面の簡単な説明】
【００１０】
【図１】本発明の第１の実施形態を示す発光装置の概略側断面図である。
【図２】同上、発光装置のカバー体を取り外した状態の概略上面図である。
【図３】本発明の第２の実施形態を示す発光装置の概略側断面図である。
【図４】本発明の第３の実施形態を示す照明器具の一部切り欠き概略側面図である。
【発明を実施するための形態】
【００１１】
以下、本発明の一実施の形態について、図面を参照して説明する。まず、本発明の第１の実施形態について説明する。  
【００１２】
本実施形態の発光装置１は、例えば電球用ソケットに着脱されるＬＥＤ電球であり、図１に示すように、発光体２、取付け体３を有する筐体４、点灯装置５およびカバー体６を有して構成されている。  
【００１３】
発光体２は、基板８および発光素子としての複数個のＬＥＤ９を有して形成されている。基板８は、高熱伝導率を有する金属板、例えば厚さ１．０ｍｍのアルミニウム（Ａｌ）板からなり、図２に示すように、円盤に形成されている。そして、基板８は、その一面８ａに不図示の絶縁層が形成され、この絶縁層上に複数個のＬＥＤ９が実装されている。本実施形態では、１個のＬＥＤ９が基板８の中心部８ｃに設けられ、残余のＬＥＤ９が基板８の中心部８ｃに対して同心円状となり、基板８の周方向に沿ってほぼ等間隔となるように設けられている。ここで、中心部８ｃは、基板８の一面８ａ側の中心を含み、その中心周りの近傍を意味する。  
【００１４】
そして、複数個のＬＥＤ９は、絶縁層上に形成された不図示の配線パターンにより直列接続されて、絶縁層上に設けられたコネクタ１１に接続されている。直列接続されたＬＥＤ９は、コネクタ１１に電気接続されたコネクタ１２付きの出力線１３により、点灯装置５に接続されている。ＬＥＤ９は、パッケージ品であり、例えば白色光を放射するものが用いられている。  
【００１５】
ＬＥＤ９およびコネクタ１１の周りの絶縁層上には、配線パターン等を絶縁する例えば白色レジスト１４が塗布されている。そして、基板８の外周縁８ｄには、中心部８ｃに対して等間隔、本実施形態では１２０°間隔で、複数個（３個）の切り欠き部１５が形成されている。基板８（発光体２）は、切り欠き部１５において、ねじ１６により放熱板１７に固定されている。  
【００１６】
筐体４は、図１に示すように、本実施形態においては、高熱伝導率を有する金属材料例えばアルミニウム（Ａｌ）からなる外ケース１８と、取付け体３とから形成されている。筐体４は、全体として、一端側４ａから他端側４ｂに緩やかに径大する略逆円錐台の筒状に形成されている。そして、外ケース１８は、その他端側４ｂに内側に突出するボス１９が設けられている。このボス１９は、周回方向に１２０゜間隔で３個が形成されている。また、外ケース１８の他端側４ｂの端面４ｄは、平面に形成されている。外ケース１８は、アルミダイキャストにより成型されている。  
【００１７】
そして、筐体４（外ケース１８）の端面４ｄに放熱板１７が載せられている。放熱板１７は、不図示の接着剤例えばシリコーン接着剤により、端面４ｄに固定されている。放熱板１７は、高熱伝導率を有する比較的肉厚の金属板例えばアルミニウム板からなり、図２に示すように、円盤状に形成されている。放熱板１７の表面１７ａは、筐体４の平面状の基板取付部としての基板取付面２０となっている。そして、基板取付面２０には、発光体２が複数個のねじ１６により取り付けられている。発光体２は、基板８の他面側８ｂ（図１に示す。）が基板取付面２０に面して密接するように取り付けられている。  
【００１８】
また、放熱板１７は、その外周縁１７ｄ側に、例えば長方形の挿通口２１が形成されている。この挿通口２１から点灯装置５の出力線１３が筐体４の内部から基板取付面２０側に導出されて、出力線１３のコネクタ１２が発光体２のコネクタ１１に接続されている。また、放熱板１７の外周縁１７ｄには、後述するカバー体６の係止爪２２を通す切り欠き部２３が形成されている。切り欠き部２３は、外周方向に等間隔となるように、本実施形態では９０°間隔に形成されている。また、放熱板１７は、図１に示すように、筐体４の外ケース１８との間でカバー体６の係止爪２２を係止する係止溝２４を形成するように、外形の大きさが設定されている。なお、外ケース１８は、熱伝導性の良好な樹脂またはセラミクスなどで形成されてもよい。  
【００１９】
外ケース１８内には、その他端側４ｂから取付け体３が挿入されて取り付けられている。取付け体３は、一端側３ａが略円筒状に形成され、他端側３ｂが外ケース１８の内面１８ｃに密接する外形形状の筒状に形成されている。そして、取付け体３は、電気絶縁性および高熱伝導性を有する合成樹脂、例えばポリブチレンテレフタレート（ＰＢＴ）樹脂により形成されている。  
【００２０】
そして、取付け体３は、その一端側３ａ（筐体４の一端側４ａ）の外面に凸条２５が螺旋状に形成されていて、この凸条２５に給電部としてのＥ形口金２６が螺合されている。Ｅ形口金２６は、取付け体３の一端側３ａの外面にかしめられて固定されている。  
【００２１】
Ｅ形口金２６は、例えばＥ２６形であり、凸条２５に螺合されてかしめられて固定される雄ねじ部２７、この雄ねじ部２７の先端側に設けられる絶縁部２８およびこの絶縁部２８の頂点に設けられる頂上接続部２９を有して構成されている。雄ねじ部２７は、例えばアルミニウム（Ａｌ）からなり、底部２７ａを有する略円筒状に形成され、頂上接続部２９は、例えば真鍮からなり、凸条の外面２９ａを有する略円柱状に形成されている。絶縁部２８は、例えばガラスまたはセラミックからなり、円錐状に形成されて、雄ねじ部２７の底部２７ａに接着されて取り付けられ、頂点に頂上接続部２９を設けている。Ｅ形口金２６は、取付け体３に雄ねじ部２７が取り付けられることにより、筐体４の一端側４ａに取り付けられている。  
【００２２】
また、Ｅ形口金２６は、取付け体３に外ケース１８を固定している。すなわち、外ケース１８およびＥ形口金２６の間には、取付け体３の一端側３ａに嵌入されたリング体３０が介在している。リング体３０は、電気絶縁性を有する剛体であり、例えばポリブチレンテレフタレート（ＰＢＴ）樹脂により形成されている。  
【００２３】
リング体３０は、Ｅ形口金２６の雄ねじ部２７が取付け体３の凸条２５に螺合されるに従いＥ形口金２６により押圧され、この押圧によって外ケース１８を取付け体３の外面上で筐体４の一端側４ａから他端側４ｂの方向に移動させるように押圧する。そして、Ｅ形口金２６は、外ケース１８が移動できなくなるまで雄ねじ部２７が取付け体３の凸条２５に螺合されている。これにより、外ケース１８は、取付け体３に密接して取り付けられている。  
【００２４】
そして、外ケース１８は、高熱伝導率を有する例えばアルミニウム（Ａｌ）により形成されることにより、発光体２に発生した熱を迅速に伝熱して、外面１８ｄから外部空間に放出させる。なお、外ケース１８が高熱伝導率かつ電気絶縁性を有する合成樹脂やセラミックで形成されるものであれば、取付け体３を外ケース１８と一体に成形して筐体４を形成してもよい。  
【００２５】
こうして、筐体４は、一端側４ａに給電部としてのＥ形口金２６を設け、他端側４ｂに放熱板１７により平面状の基板取付部としての基板取付面２０を設けており、基板取付面２０に発光体２を取り付けている。  
【００２６】
点灯装置５は、回路基板３１およびこの回路基板３１に実装された多種類の回路部品３２を備えて形成されている。回路基板３１は、ガラスエポキシ材などの合成樹脂板からなり、筐体４の一端側４ａ（取付け体３の一端側３ａ）から他端側４ｂ（取付け体３の他端側３ｂ）に亘る長形に形成されて、筐体４の一端側４ａから他端側４ｂに沿う方向に配設されている。取付け体３の内面３ｃには、一端側３ａから他端側３ｂに亘って、互いに正対する一対の基板取付け溝３３，３３（図１中、一方のみを示す。）が直線状に設けられている。この一対の基板取付け溝３３，３３に回路基板３１の幅方向の両端部が圧入されて取り付けられている。回路基板３１は、一端側３１ｃから他端側３１ｄに向かうにつれ段階的に幅広に形成され、回路部品３２の実装面積を可能な限り大きくして、Ｅ形口金２９内を含む筐体４内に筐体４の一端側４ａから他端側４ｂに沿う方向に配設されている。  
【００２７】
回路基板３１は、少なくとも一面３１ａに回路部品３２が実装されている。回路部品３２は、トランス、コンデンサおよび抵抗などの多数の部品からなっている。そして、回路基板３１の一端側３１ｃには、不図示の入力端子、他端側３１ｄには、不図示の出力端子が設けられている。入力端子には、入力
線３４，３４が接続され、出力端子には、出力線１３，１３が接続されている。入力線３４，３４は、Ｅ形口金２６の頂上接続部２９および雄ねじ部２７に接続されている。また、出力線１３，１３は、コネクタ１２を装着し、このコネクタ１２が発光体２のコネクタ１１に接続されている。  
【００２８】
そして、点灯装置５は、回路部品３２および不図示の配線パターンなどにより、発光体２のＬＥＤ９を点灯する点灯回路を形成している。点灯回路は、入力端子に外部電源の交流電圧（ＡＣ１００Ｖ）が印加されると、交流電圧を所定の直流電圧に変換し、出力端子からＬＥＤ９に定電流を供給するように形成されている。  
【００２９】
カバー体６は、発光体２を覆うように筐体４の他端側４ｂに設けられている。カバー体６は、透光性を有する樹脂材料、例えばポリカーボネート（ＰＣ）樹脂からなり、筐体４の他端側４ｂに取り付けられるカバー本体部３５およびこのカバー本体部３５の内面３５ｂから延出する突出部３６を有してなる。カバー本体部３５および突出部３６は、本実施形態では、一体に成型されている。  
【００３０】
なお、カバー本体部３５は、透明であってもよく、乳白色などの拡散透光性を有するものであってもよい。後者の場合、カバー本体部３５の外面３５ａから拡散光が外部空間に放射されるので、後述する広配光が得られやすくなるという利点を有する。  
【００３１】
カバー本体部３５は、一端側６ａが開口され他端側６ｂが閉塞されるとともに発光体２を覆うように略球面状に形成されている。すなわち、カバー本体部３５の他端側６ｂは、頂部３７となっている。そして、カバー本体部３５は、一端側６ａに係止爪２２が設けられており、この係止爪２２が筐体４の他端側４ｂの係止溝２４に係止して筐体４に取り付けられている。係止爪２２は、カバー本体部３５の一端側６ａの開口において、本実施形態では周回方向に等間隔に４個が形成されている。カバー体６は、係止爪２２が放熱板１７の切り欠き部２３に嵌め込まれた後、回動されることにより、係止溝２４に係止されている。  
【００３２】
突出部３６は、カバー本体部３５の内側に設けられている。すなわち、突出部３６は、カバー本体部３５の頂部３７の内面３５ｂから発光体２の基板８側に延出されている。そして、突出部３６は、本実施形態では、基端側３６ｂから先端側３６ａに次第に径小する円錐台に形成されているとともに、先端側３６ａの端面３８が基板８の中心部８ｃに配置されたＬＥＤ９に正対し、先端側３５ａが残余のＬＥＤ９により包囲されるように設けられている。また、突出部３６は、その先端側３６ａおよび端面３８が基板８の一面８ａ側およびＬＥＤ９に接触しないように設けられている。  
【００３３】
次に、本発明の第１の実施形態の作用について述べる。  
【００３４】
発光装置（ＬＥＤ電球）１は、照明器具の電球用ソケットに装着される。そして、Ｅ形口金２６に外部電源の交流電圧が印加すると、点灯装置５が動作し、点灯装置５から発光体２の複数個のＬＥＤ９に所定の定電流（電力）が供給される。複数個のＬＥＤ９は、点灯して、発熱するとともに白色光を放射する。白色光は、発光体２の前面側のカバー本体部３５に向かって放射される。  
【００３５】
基板８の中心部８ｃに設けられているＬＥＤ９から放射された白色光は、主として端面３８から突出部３６内に入射し、突出部３６内を外周面３６ｃで反射を繰り返しながら先端側３６ａから基端側３６ｂに向かって導光（伝播）していく。そして、突出部３６内を導光していく白色光は、一部が外周面３６ｃからカバー本体部３５の内部空間に出射され、一部が頂部３７からカバー本体部３５の外部空間に出射される。カバー本体部３５の頂部３７から外部空間に出射された白色光は、頂部３７側を光らせる。これにより、カバー本体部３５の頂部３７に暗部が発生することが防止される。  
【００３６】
そして、突出部３６の外周面３６ｃから出射される白色光は、突出部３６が基端側３６ｂから先端側３６ａに次第に縮径する円錐台に形成されているので、図１に示すように、カバー本体部３５の一端側６ａに向かって放射される。そして、カバー本体部３５を透過して、外面３５ａから筐体４の周回に亘る外部空間に出射される。  
【００３７】
また、基板８の中心部８ｃの周りに設けられたＬＥＤ９から放射された白色光は、カバー本体部３５の内面３５ｂおよび突出部３６の外周面３６ａに向かって放射される。カバー本体部３５の内面３５ｂに入射した白色光は、カバー本体部３５を透過して、外面３５ａからカバー本体部３５の周回に亘る外部空間に出射される。また、突出部３６の外周面３６ａに入射した白色光は、主として外周面３６ｃで反射され、突出部３６の上記の円錐台の形状により、カバー本体部３５の一端側６ａに向かい、カバー本体部３５を透過して外面３５ａから筐体４の周回に亘る外部空間に出射される。  
【００３８】
こうして、発光装置１は、突出部３６の端面３８に入射した白色光が外周面３６ｃからカバー本体部３５の一端側６ａに放射され、外周面３６ｃに入射した白色光がカバー本体部３５の一端側６ａに反射されることにより、広配光が得られる。  
【００３９】
そして、発光体２は、基板８の中心部８ｃにＬＥＤ９が設けられ、このＬＥＤ９に突出部３６の端面３８が正対しているので、突出部３６の外周面３６ｃからカバー本体部３５の一端側６ａに放射されて、筐体４の周回に亘る外部空間に出射する光量が確保される。また、発光体２は、基板８の中心部８ｃの周りに基板８の周方向に沿ってほぼ等間隔にＬＥＤ９が設けられているで、カバー本体部３５の略球面状の外面３５ａに対する外部空間に出射する光量が均一的に確保される。これにより、発光装置１は、その周りに均一的な光束を有する広配光が得られる。  
【００４０】
そして、ＬＥＤ９に発生した熱は、主として基板８から放熱板１７を経由して筐体４の外ケース１８に伝熱されて、外ケース１８の外面１８ｄから外部空間に放出される。また、ＬＥＤ９に発生した熱は、カバー本体部３５の内部空間に放出され、突出部３６に熱伝達される。ここで、突出部３６は、端面３８および先端側３６ａがＬＥＤ９および基板８の一面８ａ側に接触しないように設けられているので、高温となる基板８側からの熱伝達が抑制され、熱劣化が抑制される。これにより、突出部３６での透過率および反射率の低下や変色などが抑制され、発光装置１の寿命に亘って突出部３６の機能が維持される。なお、入射光を増やし、より高配光化を実現するために、突出部３６の端面３８とＬＥＤ９または基板８の一面８ａ側との間は、１０ｍｍ以内にするのが望ましい。  
【００４１】
本実施形態の発光装置１によれば、発光体２の放射光の一部は、カバー体６の突出部３６の端面３８から入射して導光し、カバー本体部３５の頂部３７から外部空間に出射するとともに、突出部３６の外周面３６ｃからカバー本体部３５の一端側６ａに放射され、カバー本体部３５から筐体４の周回に亘る外部空間に出射するので、カバー本体部３５の頂部３７側に暗部を生じにくくでき、突出部３６を有するカバー体６を筐体４に取り付けるという簡素な構成で広配光を得ることができるとともに安価に形成可能であるという効果を有する。  
【００４２】
また、突出部３６の先端部である端面３８および先端側３６ａがＬＥＤ９および基板８の一面８ａ側に接触しないように設けられているので、高温となる基板８側からの熱伝達が抑制されることにより、突出部３６の熱劣化が抑制され、これにより、突出部３６の外周面３６ｃおよびカバー本体部３５の頂部３７からの出射光の光量低下が抑制され、発光装置１の放射光の出射効率の低下を防止できるという効果を有する。  
【００４３】
また、発光体２は、基板８の中心部８ｃに突出部３６の端面３８に正対するようにＬＥＤ９が設けられ、基板８の中心部８ｃの周りに基板８の周方向に沿ってＬＥＤ９が実装されているので、突出部３６の端面３８から突出部３６内に入射する光量が確保されることにより筐体４の周回に亘る外部空間に出射する光量を確保することができるとともに、カバー本体部３５に対する外部空間に出射する光量を確保することができて、これにより、発光装置１の周りに均一的な光束を有する広配光を得ることができるという効果を有する。  
【００４４】
なお、本実施形態において、カバー体６の突出部３６は、円錐台に形成したが、これに限らず、円錐や円柱に形成されてもよい。また、円錐状や円柱状に限らず、六角形や八角形などの多角形の柱状や錐状に形成されてもよい。ただし、突出部３６は、入射光をより筐体４の周りの空間に放射させるために、基板８に向かって縮径する傾斜面を持った形状が最適である。その傾斜面の角度は、円柱状が０°であるのに対して、５〜１５°であるのが望ましい。  
【００４５】
また、カバー体６のカバー本体部３５は、略球面状でなくてもよく、他端側６ｂが閉塞され一端側６ａが開口されていればその形状が限定されるものでなく、例えば椀状や正方形の箱状であってもよい。  
【００４６】
また、カバー体６は、カバー本体部３５と突出部３６とを一体に形成したが、これに限らず、カバー本体部３５と突出部３６とが別体であってもよい。そして、突出部３６をカバー本体部３５の内面３５ｂに溶接、接着またはねじ止めして取り付けてもよい。また、カバー体６は、樹脂材料に限らず、透光性のガラスで形成されてもよい。  
【００４７】
また、発光体２は、発光素子としてパッケージ品のＬＥＤ９を用いたが、これに限らず、ＬＥＤチップを用いたＣＯＢ方式により形成してもよい。また、有機エレクトロルミネセンス（ＥＬ）素子を用いてもよい。  
【００４８】
また、基板８の中心部８ｃに１個のＬＥＤ９を設けたが、複数個のＬＥＤ９を設けてもよい。そして、この複数個のＬＥＤ９を突出部３６の端面３８に正対させるようにしてもよい。また、突出部３６の端面３８にＬＥＤ９を正対させなくてもよく、端面３８に発光体２の放射光の一部が入射されるものであればよい。  
【００４９】
また、給電部としてＥ形口金２６を設けたが、これに限らず、例えば差し込み形の口金であってもよい。また、筐体４は、滑らかに径大する略円錐台の筒状に限らず、円筒や角筒などの筒状であってもよい。  
【００５０】
また、本実施形態の発光装置１は、ＬＥＤ電球に構成したが、これに限らず、例えば点灯装置５を別置するスポットライトなどの発光装置であってもよい。  
【００５１】
次に、本発明の第２の実施形態について説明する。  
【００５２】
本実施形態の発光装置（ＬＥＤ電球）１Ａは、図３に示すように形成される。なお、図３において、図１と同一部分および同一部分に相当する部分には同一符号を付して重複する説明は省略する。  
【００５３】
発光装置１Ａは、図１に示す発光装置１において、突出部３６の延出方向の中間の外周面３６ｃ側に外周面３６ｃの周回に亘って突起部３９が設けられたものである。本実施形態では、突起部３９は、カバー本体部３５の略球面状の中心に位置するように設けられている。そして、突起部３９は、外径が段階的に増減する略楕円体に形成されている。  
【００５４】
突出部３６の端面３８から入射したＬＥＤ９の放射光（白色光）は、その一部が突起部３９において突出部３６の延出方向を除く全方位に出射される。これにより、発光装置１Ａは、カバー体６の中心部が光っているように見える。特に、カバー体６がクリアーであると、より顕著にカバー体６の中心部が光って見えることにより、従来の白熱電球に近いものとなる。これにより、発光装置１Ａは、例えば従来のキャンドル電球の代替品として使用可能である。  
【００５５】
なお、突起部３９は、表面が滑らかな楕円体の形状に形成されてもよく、球体や略球体の形状に形成されてもよい。  
【００５６】
本実施形態の発光装置１Ａによれば、カバー本体部３５の頂部３７に暗部が生じにくく、安価に形成可能であって広配光を得ることができるとともに、突起部３９によってカバー体６の中心部を光らせることができるという効果を有する。  
【００５７】
次に、本発明の第３の実施形態について説
明する。  
【００５８】
本実施形態の照明器具４１は、図４に示すように構成される。なお、図３と同一部分には、同一符号を付して説明は省略する。  
【００５９】
照明器具４１は、机や棚などの設置台４２に設置される置灯例えばキャンドル灯であり、外形が有底の円筒状である器具本体４３に図３に示す発光装置（ＬＥＤ電球）１ＡのＥ形口金２６（図示しない。）が取り付けられるソケットとしての電球用ソケット４４が配設されている。器具本体４３は、灰皿状に形成された取付け台４５に不図示のねじにより取り付けられている。そして、取付け台４５は、そのフランジ部４６が不図示のねじにより設置台４２に取り付けられている。すなわち、取付け台４５は、設置台４２に固定されている。  
【００６０】
そして、器具本体４３は、先端にプラグ４７を有する電源コード４８を接続している。プラグ４７は、配線コード４９のソケット５０に差し込まれて接続されている。これにより、電源コード４８等を介して電球用ソケット４４に外部電源が供給される。そして、発光装置１Ａは、電球用ソケット４４に装着されている。発光装置１Ａは、図示しない壁スイッチのオンオフ操作に応じて点灯される。そして、カバー体６から放射された白色光が周囲の外部空間を照明する。  
【００６１】
本実施形態の照明器具４１よれば、安価に形成可能であって広配光かつカバー体６の中心部が光って見える発光装置１Ａを具備するので、ランニングコストを低減できるとともに、従来のキャンドルやキャンドル電球のように一部グレアな放射光で外部空間を照明できるという効果を有する。  
【００６２】
なお、本実施形態の照明器具は、埋め込み形、吊り下げ形や直付け形の照明器具であってもよい。  
【００６３】
また、本発明の上述した実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれるものである。
【符号の説明】
【００６４】
１，１Ａ…発光装置としてのＬＥＤ電球、  ２…発光体、  ４…筐体、  ６…カバー体、  ５…点灯装置、  ８…基板、  ９…発光素子としてのＬＥＤ、  ２０…基板取付部としての基板取付面、  ２６…給電部としてのＥ形口金、  ３５…カバー本体部、  ３６…突出部、  ３９…突起部、  ４１…照明器具、  ４３…器具本体、  ４４…ソケットとしての電球用ソケット
【図１】
2016066427.tif 000003
【図２】
2016066427.tif 000004
【図３】
2016066427.tif 000005
【図４】
2016066427.tif 000006